【事件の表示】
　平成　８年特許願第　　９２０９号「液晶配向膜形成剤」拒絶査定不服審判事件〔平成　９年　７月２９日出願公開、特開平　９−１９４７２５〕について、次のとおり審決する。
【結　論】
　本件審判の請求は、成り立たない。
【理　由】
１．手続の経緯
　本願は、平成８年１月２３日の出願であって、平成１６年１０月１５日付けで拒絶査定がなされ、これに対し、平成１６年１１月１９日に拒絶査定に対する審判請求がなされ、その後、平成１９年１月１１日付けで当審による拒絶理由が通知され、その指定期間内である同年２月２３日に意見書とともに手続補正書が提出されたものである。
　
２．本願発明
　平成１９年２月２３日付けの手続補正は、補正前の明細書の段落００６２の末尾に「なお、実施例３は参考例である。」との記載を付加するにすぎないものであるから、特許法第１７条の２第３項に規定する要件を満たすものである。よって、本願請求項１〜４に係る発明は、平成１６年８月２４日付けの手続補正書及び平成１９年２月２３日付けの手続補正書により補正された明細書の記載からみて、その特許請求の範囲の請求項１〜４に記載された事項により特定されるとおりのものと認められ、そのうち、その請求項１に係る発明（以下、「本願発明」という。）は、次のとおりのものである。
　
「【請求項１】　下記一般式（１）
【化１】
（式（１）中、Ｒ1は、４価の有機基である）
で示されるテトラカルボン酸二無水物と下記一般式（２）
　　Ｈ2Ｎ−Ｒ2−ＮＨ2　　（２）
（式（２）中、Ｒ2は、塩基性窒素原子を有する２価の有機基である）
で示されるジアミン化合物ならびにｐ−フェニレンジアミン、４，４’−ジアミノジフェニルメタン、４，４’−ジアミノジフェニルエーテル、２，２−ビス［４−（４−アミノフェノキシ）フェニル］プロパン、９，９−ビス（４−アミノフェニル）フルオレン、２，２−ビス［４−（４−アミノフェノキシ）フェニル］ヘキサフルオロプロパン、２，２−ビス（４−アミノフェニル）ヘキサフルオロプロパン、４，４’−（ｐ−フェニレンジイソプロピリデン）ビスアニリン、４，４’−（ｍ−フェニレンジイソプロピリデン）ビスアニリンおよび下記式（３）〜（９）のそれぞれで表されるジアミンよりなる群から選ばれる少なくとも１種の他のジアミンとを反応せしめることにより生成するポリアミック酸を含有することを特徴とする液晶配向膜形成剤。
【化５】
【化６】
」
　
３．引用文献及びその記載事項
　当審の拒絶の理由に引用された、本願出願前に頒布された刊行物である特開平６−７５２２９号公報（以下、「刊行物Ｃ」という。）、及び特開平４−２８１４２７号公報（以下、「刊行物Ｄ］という。）には、次の事項が記載されている。
　
記載事項ａ：刊行物Ｃの段落０００１〜００３２
「【０００１】　…本発明は新規液晶配向膜、及び液晶表示体に関する。…
　【０００７】　…ポリアミックッ酸溶液をスピンナー等で基板に塗布し高温（１５０から３００度Ｃ）で焼成しポリイミドとする。…
　【００３０】（実施例５）
　２、６−ジアミノピリジン　０．０５０グラム、ピロメリット酸２無水物　０．１０３グラム、とＮ−メチル−２−ピロリドン５ミリリットルを試験管にとり、窒素置換した後６０度Ｃでときどき撹拌しながら５時間反応させた。
　【００３１】　表示体の作製及び評価
　前記方法により得られたポリアミック酸溶液を、液晶表示体のセル基板にスピンコータ（２０００ｒｐｍ，２０分）で塗布した後、窒素雰囲気中で２５０度ｃ、３０分間焼成し、ポリイミド膜とした。
　【００３２】　この基板をセル作製時、注入された液晶のひねり角が２４０度になるようなラビング方向で下記ラビング条件にてラビングした後、液晶セルを組み立てた。」
　
記載事項ｂ：刊行物Ｄの段落０００８〜００６１
「【０００８】　…下記一般式（Ｉ）
　【０００９】【化３】
　【００１０】で表わされるテトラカルボン酸二無水物（以下「化合物Ｉ」という）および
　【００１１】　下記一般式（ＩＩ）
　【００１２】【化４】
　【００１３】　で表わされる化合物（以下「化合物ＩＩ」という）を含有するジアミン化合物とを反応されて得られる重合体（以下「特定重合体Ｉ」という）および／またはそのイミド化重合体（以下「特定重合体ＩＩ」という）を含有する、ことを特徴とする液晶配向剤によって達成される。…
　【００１５】　かかる化合物Ｉとしては、例えば…ピロメリット酸二無水物…
　【００１７】　かかる化合物ＩＩは、例えば特定の反応性基を有するジニトロ化合物とステロイド骨格を有する化合物を反応せしめたのち、ニトロ基を還元することによって得られる。…
　【００３６】　Ｒ３が−Ｃ（＝Ｏ）−ＮＨ−の構造を有する化合物ＩＩは、酸クロライド基を有するジニトロ化合物とアミノ基を有するステロイド化合物を溶媒中、塩基性触媒の存在下で反応させた後、その生成物を還元してニトロ基をアミノ基に変換することによって得られる。…
　【００４８】　前記特定重合体Ｉの製造においては、化合物ＩＩの他に、本発明の効果を失わない範囲で、他のジアミン化合物を併用することができる。この他のジアミン化合物としては、例えばｐ−フェニレンジアミン、…４，４´−ジアミノジフェニルメタン、…４，４´−ジアミノジフェニルエーテル、…２，２−ビス［４−（４−アミノフェノキシ）フェニル］プロパン、…９，９−ビス（４−アミノフェニル）フルオレン、…などの芳香族ジアミン；…２，２−ビス（４−アミノフェニル）ヘキサフルオロプロパンおよび２，２−ビス［（４−アミノフェノキシ）フェニル］ヘキサフルオロプロパンなどのヘテロ原子を有する芳香族ジアミン…
　【００５１】  かかる他のジアミン化合物の使用は、全ジアミン化合物（化合物ＩＩおよび他のジアミン化合物）中、通常０〜９９．９９モル％…
　【００５４】　本発明に用いられる特定重合体ＩＩは、上記した特定重合体Ｉを、加熱して、または脱水剤およびイミド化触媒の存在下でイミド化することにより得られる。加熱によりイミド化する場合の反応温度は、通常６０〜２００℃、好ましくは１００〜１７０℃である。…
　【００６０】　まず透明導電膜が設けられた基板の透明導電膜側に、本発明の液晶配向剤をロールコーター法、スピンナー法、印刷法などで塗布し、８０〜２００℃、好ましくは１２０〜２００℃の温度で加熱して塗膜を形成させる。…
　【００６１】　形成された塗膜は…ラビング処理を行なうことにより、液晶配向膜とされる。」
　
４．対比・判断
　刊行物Ｃには、ポリアミック酸溶液を基板に塗布し、１５０〜３００℃で焼成しポリイミドとする液晶配向膜、及び液晶表示体に関し、実施例５として、２、６−ジアミノピリジンと、ピロメリット酸２無水物とを反応させる方法により得られたポリアミック酸溶液を、液晶表示体のセル基板に塗布した後、３０分間焼成し、ポリイミド膜としたものが記載されている（記載事項ａ）。
　
　本願発明と刊行物Ｃに記載された「２、６−ジアミノピリジンと、ピロメリット酸２無水物とを反応させる方法により得られたポリアミック酸溶液」についての発明（以下、「引用発明」という。）とを対比すると、引用発明の「ピロメリット酸２無水物」は、本願明細書の段落０００９〜００１０の「化合物（Ｉ）は、テトラカルボン酸二無水物であり、例えば…ピロメリット酸二無水物」との記載からみて、本願発明の化合物（Ｉ）に該当するものであり、引用発明の「２、６−ジアミノピリジン」は、本願明細書の段落００１２の「化合物（ＩＩ）は、分子内に２つのアミノ基およびこれらのアミノ基以外の塩基性窒素原子を含有するジアミン化合物であり、例えば…２，６−ジアミノピリジン」との記載からみて、本願発明の化合物（ＩＩ）に該当するものであり、引用発明の「溶液」は、液晶表示体のセル基板に塗布して、焼成され、ポリイミド膜となり、ラビングされ、液晶配向膜とされるものであって（記載事項ａ）、本願発明の「液晶配向膜形成剤」に相当すると解されるから、両者は、「ピロメリット酸二無水物と２，６−ジアミノピリジンとを反応せしめることにより生成するポリアミック酸を含有する液晶配向膜形成剤。」である点で一致し、本願発明においては、２，２−ビス［（４−アミノフェノキシ）フェニル］ヘキサフルオロプロパン等の他のジアミンを併用するのに対して、引用発明においては、他のジアミンを併用するものではない点においてのみ相違する。
　
　上記相違点について検討するに、例えば、刊行物Ｄには、化合物Ｉとしてピロメリット酸二無水物と、化合物ＩＩとしてＲ３が−Ｃ（＝Ｏ）−ＮＨ−の構造を有するジアミン化合物（分子内に２つのアミノ基およびこれらのアミノ基以外の窒素原子を含有するジアミン化合物）とを反応させて得られる特定重合体Ｉを含む液晶配向剤を、基板に塗布し、通常６０〜２００℃、好ましくは１００〜１７０℃の加熱でイミド化して、形成された塗膜をラビング処理して、液晶配向膜を形成する発明において、化合物ＩＩの他に、ｐ−フェニレンジアミン、４，４´−ジアミノジフェニルメタン、４，４´−ジアミノジフェニルエーテル、２，２−ビス［４−（４−アミノフェノキシ）フェニル］プロパン、９，９−ビス（４−アミノフェニル）フルオレン、２，２−ビス（４−アミノフェニル）ヘキサフルオロプロパンおよび２，２−ビス［（４−アミノフェノキシ）フェニル］ヘキサフルオロプロパンなどの他のジアミン化合物を併用する発明が記載されるなど（記載事項ｂ）、２種類のジアミン化合物を併用してポリイミド膜を形成することは、液晶配向膜の技術分野において普通に知られているので、引用発明において、２，６−ジアミノピリジンに加えて、２，２−ビス［（４−アミノフェノキシ）フェニル］ヘキサフルオロプロパン等の他のジアミン化合物を併用する構成にすることは、当業者にとって格別困難なことではない。
　
　そして、本願発明の効果について検討するに、審判請求人は、平成１９年２月２３日付けの意見書において、「刊行物Ａには引用発明が低温焼成においてもイミド化率の高い液晶配向膜を与えることは何ら記載も示唆もされていない。従って、引用発明と同一組成の本願実施例３の液晶配向膜形成剤がイミド化率が他の実施例１〜２及び４〜１４のいずれよりも優れているからと云って、本願発明のイミド化率に関する作用効果が刊行物Ａまたは引用発明から何ら否定されるものではない。しかも、本願発明の実施例１〜２及び４〜１４は実施例３よりもイミド化率が若干低いとは云っても依然として高い水準にあり、ジアミン−αとジアミン−βを併用することにより、このような高水準のイミド化率が得られることは刊行物Ａまたは引用発明から当業者が容易に想到し得ることではない。」と主張しているところ、刊行物Ｃに記載される発明は焼成温度が１５０℃である場合も含むものであり、また例えば、刊行物Ｄに記載される発明も６０〜２００℃の加熱でイミド化して液晶配向膜を形成するものであるところ、本願明細書の実施例における１７０℃という焼成温度は、刊行物Ｃ等の技術水準からみて、格別低温の焼成温度であるとは言えないし、本願発明の他のジアミンには、２，２−ビス［（４−アミノフェノキシ）フェニル］ヘキサフルオロプロパン等の選択肢が含まれるところ、当該選択肢のものの効果については本願明細書等において何の裏付けがなく、「引用発明と同一組成の本願実施例３の液晶配向膜形成剤がイミド化率が他の実施例１〜２及び４〜１４のいずれよりも優れている」という点からみても、２，２−ビス［（４−アミノフェノキシ）フェニル］ヘキサフルオロプロパン等の他のジアミンの選択肢を含む本願発明の全てのものが、引用発明に比して格別顕著な効果を奏し得ているとは認められない。
　
５．むすび
　以上のとおり、本願発明は、刊行物Ｃ及びＤに記載された発明に基づいて、当業者が容易に発明をすることができたものであるから、特許法第２９条第２項の規定により特許を受けることができず、その余の請求項に係る発明について検討するまでもなく、本願は拒絶すべきものである。
　よって、結論のとおり審決する。